(57)【特許請求の範囲】
【請求項１】
上面開口（Ｏ）の収納容器又は収納部の該開口に蓋ができる収納蓋（２）であって、
ブロー成形で空所（Ｓ）を設け蓋としての厚み（ｔ）をもたせた合成樹脂製の盤状体にして、二分割された蓋部（２１，２２）と、両蓋部の対向側面（２１ｃ，２２ｃ）に係る一の対向側面（２１ｃ）の上縁（α）と他の対向側面（２２ｃ）の下縁（β）とをつなぐ短板状のヒンジ部（２３）と、を備えた一体成形品で、更に、該ヒンジ部の長さ（Ｌ）を前記厚みにほぼ一致させて、蓋部（２１）の上面（２１ｂ）と短板状のヒンジ部（２３）と蓋部（２２）の下面（２２ａ）とが断面で一直線上に並ぶようにしてブロー成形され、且つ蓋部（２１，２２）との接続部分になるヒンジ部（２３）の両端寄りに凹状のヒンジ用括れ部（２３ａ，２３ｂ）が成形されてなることを特徴とする収納蓋。
【請求項２】
前記蓋部（２１，２２）及びヒンジ部（２３）の上面に表皮（３）が一体的に取着された請求項１記載の収納蓋。
【発明の詳細な説明】
【０００１】
【発明の属する技術分野】
本発明は、上面開口の収納容器又は収納部の該開口に蓋ができる二つ折りタイプの収納蓋に関する。
【０００２】
【従来の技術】
上面開口の収納容器６の該開口Ｏを塞ぐための二つ折りタイプの収納蓋７があるが、従来は、ヒンジ部７３で谷折りとなる図９のような収納蓋を設けるのが一般的であった。斯る収納容器は、両蓋部７１，７２の対向側面の上縁同士をヒンジ部７３が接続しており、下面を見せるようにしてヒンジ部７３で折り曲げて、収納容器６への荷物の出し入れを行っていた。
【０００３】
【発明が解決しようとする課題】
しかるに、上記収納蓋は、蓋部７２の下の斜線域Ｅにある荷物を取り出すのが困難であった。図９の鎖線のごとく、支軸７５を支点に蓋部７１，７２を全部展開すれば足りるが、二回めくり上げなければならず、厄介であった。
一方、図１０のような山折りタイプの収納蓋８を設けた収納蓋も考えられるが、これだと、蓋部８２の上に荷物等が置いてある場合に、収納蓋８が開かなくなった。また、蓋部の裏面８ａに工具等の収納機能をもたせることもできなかった。
【０００４】
本発明は上記問題点を解決するもので、購入者側の使い勝手に合わせて山折りにも谷折りにもなる収納蓋を提供することを目的とする。
【０００５】
【課題を解決するための手段】
上記目的を達成すべく、請求項１記載の本発明の要旨は、上面開口（Ｏ）の収納容器又は収納部の該開口に蓋ができる収納蓋（２）であって、ブロー成形で空所（Ｓ）を設け蓋としての厚み（ｔ）をもたせた合成樹脂製の盤状体にして、二分割された蓋部（２１，２２）と、両蓋部の対向側面（２１ｃ，２２ｃ）に係る一の対向側面（２１ｃ）の上縁（α）と他の対向側面（２２ｃ）の下縁（β）とをつなぐ短板状のヒンジ部（２３）と、を備えた一体成形品で、更に、該ヒンジ部の長さ（Ｌ）を前記厚みにほぼ一致させて、蓋部（２１）の上面（２１ｂ）と短板状のヒンジ部（２３）と蓋部（２２）の下面（２２ａ）とが断面で一直線上に並ぶようにしてブロー成形され、且つ蓋部（２１，２２）との接続部分になるヒンジ部（２３）の両端寄りに凹状のヒンジ用括れ部（２３ａ，２３ｂ）が成形されてなることを特徴とする収納蓋にある。
請求項２記載の本発明の収納蓋は、請求項１において、蓋部（２１，２２）及びヒンジ部（２３）の上面に表皮が一体的に取着されたことを特徴とする。
【０００６】
請求項１の発明のように、両蓋部の対向側面に係る一の対向側面（２１ｃ）の上縁（α）と他の対向側面（２２ｃ）の下縁（β）とをつなぐ短板状のヒンジ部（２３）を備え、該ヒンジ部の両端寄りに凹状のヒンジ用括れ部（２３ａ，２３ｂ）が成形されると、括れ部で折り曲げれるようになるので、山折りも谷折りも可能となる。収納蓋がブロー成形品であると、製造が簡単になるので、低コスト化を図ることができる。
収納蓋（２）がブロー成形で空所（Ｓ）を設け蓋としての厚み（ｔ）をもたせた合成樹脂製の盤状体であると、軽量化が図られる。ヒンジ部の長さ（Ｌ）を前記厚みにほぼ一致させて、蓋部（２１）の上面（２１ｂ）と短板状のヒンジ部（２３）と蓋部（２２）の下面（２２ａ）とが断面で一直線上に並ぶようにしてブロー成形されると、成形された収納蓋（２）をヒンジ部（２３）で折り曲げて平盤状にすることが可能になる。蓋部（２１，２２）との接続部分になるヒンジ部（２３）の両端寄りに凹状のヒンジ用括れ部（２３ａ，２３ｂ）が一体成形されてなると、本収納蓋をブロー成形型で造ることができる。
請求項２のごとく、収納蓋の上面に表皮が一体的に取着されると、加飾効果が発揮される。
【０００７】
【発明の実施の形態】
以下、本発明に係る収納蓋の実施形態について詳述する。
【０００８】
（１）実施形態１
図１〜図７は本発明の収納蓋の一形態で、図１，図２は収納蓋とこれに蓋される収納容器の全体斜視図、図３は図１の収納蓋の斜視図、図４は図３のIV−IV線断面図、図５は図４の部分拡大図、図６は図５の形態にする前の成形品の部分断面図、図７はパリソンと収納蓋を造る成形型の説明断面図である。
【０００９】
本実施形態は、収納容器１と本発明たる収納蓋２とで収納ケースＢを形成している。収納容器１は上面開口Ｏの方形体の中空容器で、各壁面は所定肉厚で造られている。そして、開口Ｏの周縁に収納蓋２を受け支える受け面１１を形成する。更に、該受け面外周に収納蓋２の厚み程度の立上り部１２を設けて収納蓋２をガイドする役目を担わせる。該立上り部１２には、後述のピン２４を挿通するための孔１４が設けられている。
【００１０】
収納蓋２は、蓋としての厚みｔをもたせた合成樹脂製の盤状体である。本実施形態では、ブロー成形で適宜空所Ｓを設けて軽量化を図っている。空所Ｓを形成するリブＲが多数設けられて剛性が保たれる。成形時の脱型を考慮してリブＲの断面はハの字状に開いた格好になっている（図６）。
収納蓋２は、図４，図５のごとく、二分割された一対の蓋部２１，２２と、両蓋部の対向側面２１ｃ，２２ｃに係る上縁αと下縁βとをつなぐヒンジ部２３と、を備えた一体成形品である。ブロー成形時にヒンジ部２３は短板状とする。
【００１１】
収納蓋２は、図６のごとく、ブロー成形で蓋部２１の上面２１ｂとヒンジ部２３と蓋部２２の下面２２ａとが一直線状に並ぶようにして造られる。ヒンジ部２３の長さＬは、収納蓋２の厚みｔにほぼ一致する。このため、成形された収納蓋２をヒンジ部２３で折り曲げて、図５のような平盤状にすることが可能になっている。平盤状となった収納蓋２には、ヒンジ部２３のところの上下面に溝Ｖが形成される。
そして、ヒンジ部２３の両面双方に、凹状のヒンジ用括れ部２３ａ，２３ｂが設けられる。該括れ部２３ａ，２３ｂは、ヒンジ部２３の両端寄りで、蓋部２１，２２との接続部分に設けられる（図５）。ヒンジ部に括れ部２３ａ，２３ｂを形成することによって、該括れ部で一層折れ曲り易くなり、ヒンジ機能がいかんなく発揮される。
符号２４は収納蓋２の両端部に形成したピンを示す。該ピンが収納容器１の立上り部に設けた孔１４に軸着されると、収納容器上で、ピン２４を支点にして収納蓋２の開け閉めが可能になる。尚、図示しないが、収納蓋２には開け閉めし易いように必要に応じ把手が設けられる。
【００１２】
既述のごとく、蓋部２１，２２が両面双方に括れ部２３ａ，２３ｂのあるヒンジ部２３と一緒に一体成形されているが、斯る収納蓋２は、図７のごとくのブロー成形型によって造られている。
ブロー型４，５には、括れ部２３ａ，２３ｂに対応する左右の型面に突起４１，５１が設けられている。型開状態でパリソンＰを垂下させた後、型閉めすることによってパリソンＰを扁平化させていき、最終的に突起４１，５１に括れ部２３ａ，２３ｂを形成させるのである。成形後、図６のような形で取り出した収納蓋２は括れ部２３ａ，２３ｂで折り曲げ平盤化する。かくして、図５のごとくの収納蓋２が得られる。収納蓋２の上面には必要に応じて表皮３が一体的に取着される。該収納蓋２（又は表皮付き収納蓋）を収納容器に組みつければ収納ケースＢが出来上る。
【００１３】
表皮３は加飾用敷物で、ここではカーペットが用いられている。カーペットは例えばポリエステル−ＰＰのニードルタクトカーペット等である。収納蓋２への表皮３の一体化は、ブロー成形段階で一体化成形する方法や収納蓋２に後から貼着によって一体化させる方法等が採られる。尚、ヒンジ部２３には表皮３を施さなくてもよい。
【００１４】
次に、こうして出来た収納ケースに係る収納蓋２の開け閉め動作について説明する。
手前の蓋部２１を後方へ押しやると、図１のごとく、二つの蓋部２１，２２が括れ部２３ｂで山折れになって折り畳まれ起立していく。蓋部２１，２２は受け面１１を滑動しながら動くので、スムーズであり、二つの蓋部２１，２２が起立するようになれば、開口全体が現われるしかけとなる。従って、蓋部２２の下に荷物を置いた場合なども楽々取り出せるようになる。そして、手前の蓋部２１を引き寄せれば、蓋部２１，２２が展開して元に戻り、開口Ｏを塞いでしまう。
一方、蓋部２１を持ち上げれば、図２のように、括れ部２３ａで谷折れとなって蓋が開く。故に、蓋部２２に荷物が載っていてもこれを動かすことなく、収納ケースＢの物の出し入れが可能となる。
【００１５】
このように構成した収納蓋２は、括れ部２３ｂで折り曲げれば、図１のような山折りになり、また、括れ部２３ａで折り曲げれば、図２のような谷折りになるので、購入者側の使い勝手に自在に対応でき、非常に便利になものとなる。
【００１６】
（２）実施形態２
本実施形態の収納蓋は、図８のごとく、車のラゲージフロア（収納蓋）と該ラゲージフロアの下に荷物を収納できるボックス（収納部）に適用するものである。ステーションワゴンやＲＶ車の荷台には、荷台の下にも荷物等を収容できるようボックスが設置されるようになってきているが、該ボックスを収納部１とし、ボックスの蓋を兼ねるラゲージフロアを収納蓋２としたものである。収納部１は車のボディの一部分である。フロア１６上に段差１７を介して開口部Ｏを設け、該開口部周りに受け面１８を形成してる。
収納蓋２はポリプロピレン（ＰＰ）、或いはフィラー・ガラス入りＰＰ，ＡＢＳ，ＨＤＰＥ等の合成樹脂からなるブロー成形品である。
他の構成は実施形態と基本的に同じで、その説明を省略する。本実施形態では収納蓋２にピン２４を設けていない。図中、実施形態と同一符号は同じ構成要素を示す。
【００１７】
このように構成した収納蓋も、車両フロアの役目を果たしながら収納蓋２の開け閉めに山折り，谷折りと自由自在であるため、荷物の出し入れが容易となる。
【００１８】
尚、本発明においては、前記実施例に示すものに限られず、目的，用途に応じて本発明の範囲で種々変更できる。収納容器１，収納部１，収納蓋２，蓋部２１，２２，ヒンジ部２３等の形状，大きさ，材質等は用途に応じて適宜選択できる。
【００１９】
【発明の効果】
以上のごとく、本発明の収納蓋は、山折りにも谷折りにもなり、使い勝手が良く、極めて有益となる。
【図面の簡単な説明】
【図１】  実施形態１に係る収納ケースの全体斜視図である。
【図２】  実施形態１に係る収納ケースの全体斜視図である。
【図３】  図１の収納蓋の斜視図である。
【図４】  図３のIV−IV線断面図である。
【図５】  図４の部分拡大図である。
【図６】  図５の形態にする前の成形品の部分断面図である。
【図７】  パリソンと収納蓋を造る成形型の説明断面図である。
【図８】  実施形態２に係る収納ケースの断面図である。
【図９】  従来技術の説明断面図である。
【図１０】  従来技術の説明断面図である。
【符号の説明】
１              収納容器（収納部）
２              収納蓋
２ｂ            上面
２１，２２      蓋部
２１ｂ          蓋部（２１）の上面
２２ａ          蓋部（２２）の下面
２１ｃ，２２ｃ  対向側面
２３            ヒンジ部
２３ａ，２３ｂ  括れ部
３              表皮
Ｌ              ヒンジ部の長さ
Ｏ              開口
Ｓ              空所
ｔ              厚み
α              上縁
β              下縁
【図１】
0004080031.tif 000002
【図２】
0004080031.tif 000003
【図３】
0004080031.tif 000004
【図４】
0004080031.tif 000005
【図５】
0004080031.tif 000006
【図６】
0004080031.tif 000007
【図７】
0004080031.tif 000008
【図８】
0004080031.tif 000009
【図９】
0004080031.tif 000010
【図１０】
0004080031.tif 000011